(57)【特許請求の範囲】
【請求項１】
平板状をなす放射体と、
該放射体に対して所定の間隔をもって配置された実装基板と、
前記所定の間隔が得られるように前記放射体の一方の表面側の縁部と前記実装基板との間に介在し且つこれらのそれぞれに取り付けられた少なくとも１つの支持部とを有しており、
該支持部のうちの少なくとも１つは前記放射体の放射電極及び前記実装基板の配線に電気的に接続された積層型回路を備えた積層型回路部材からなっており、
前記放射体は前記積層型回路部材の取り付けられた前記縁部に前記放射電極に接続された給電端子を備えており、
前記積層型回路部材は前記積層型回路にそれぞれ接続されたアンテナ端子と信号入力端子及び／または信号出力端子とを備えており、
前記実装基板は前記配線に接続された配線端子を備えており、
前記給電端子と前記アンテナ端子とが接続されており、前記信号入力端子及び／または前記信号出力端子と前記配線端子とが接続されていることを特徴とするアンテナ装置。
【請求項２】
前記積層型回路部材は、積層面が前記放射体の表面に対して垂直になるようにして配置されていることを特徴とする、請求項１に記載のアンテナ装置。
【請求項３】
前記積層型回路と前記放射電極とは前記積層型回路部材の一方の端面に形成された前記アンテナ端子を介して電気的に接続されており、前記積層型回路と前記配線とは前記積層型回路部材の他方の端面に形成された前記信号入力端子及び／または前記信号出力端子を介して電気的に接続されていることを特徴とする、請求項２に記載のアンテナ装置。
【請求項４】
前記放射体の表面は大略矩形状の外形をなしており、その互いに平行な１対の辺に隣接する２つの前記縁部に前記支持部が配置されていることを特徴とする、請求項１〜３のいずれかに記載のアンテナ装置。
【請求項５】
前記放射体の表面は大略矩形状の外形をなしており、その４つの辺に隣接する４つの前記縁部に前記支持部が配置されており、これらの支持部は前記大略矩形状の外形の４つの隅に隣接する位置において端部同士が互いに接続されて枠状をなしていることを特徴とする、請求項１〜３のいずれかに記載のアンテナ装置。
【請求項６】
前記放射体の互いに平行な１対の辺に沿った方向の少なくとも一方端に対応する少なくとも２つの隅部は非凹且つ非鋭角の形状に形成されていることを特徴とする、請求項４〜５のいずれかに記載のアンテナ装置。
【請求項７】
前記放射体の非凹且つ非鋭角の形状の隅部は、ラウンド形状または斜め１３５度直線形状であることを特徴とする、請求項６に記載のアンテナ装置。
【請求項８】
前記積層型回路部材は、積層された複数の誘電体シートの互いに隣接するもの同士の間に適宜のパターンの導体膜が配置されており、これら導体膜が前記誘電体シートに形成されたビアコンタクトにより適宜接続されて前記積層型回路が形成されており、前記誘電体シートの少なくとも１つをその厚さ方向に貫通するシールド導電膜が形成されているものであることを特徴とする、請求項１〜７のいずれかに記載のアンテナ装置。
【請求項９】
前記シールド導電膜は前記積層型回路を構成する複数の回路部分のうちの互いに隣接するもの同士の間に位置していることを特徴とする、請求項８に記載のアンテナ装置。
【請求項１０】
前記積層型回路は積層型分波器と該積層型分波器にそれぞれ接続された２つの積層型誘電体フィルタとを含んでなることを特徴とする、請求項１〜９のいずれかに記載のアンテナ装置。
【請求項１１】
前記２つの積層型誘電体フィルタのうちの一方は受信側バンドパスフィルタであり、且つ前記２つの積層型誘電体フィルタのうちの他方は送信側バンドパスフィルタであることを特徴とする、請求項１０に記載のアンテナ装置。
【請求項１２】
前記積層型回路は少なくとも１つの積層型分波器と該積層型分波器のいずれかに接続された積層型デュプレクサとを含んでなり、前記積層型分波器のうちの少なくとも１つには２つの前記積層型デュプレクサが接続されていることを特徴とする、請求項１〜９のいずれかに記載のアンテナ装置。
【請求項１３】
前記積層型回路は複数段に接続された複数の前記積層型分波器を含んでいることを特徴とする、請求項１２に記載のアンテナ装置。
【請求項１４】
前記放射体はスロットの形成された放射電極を有しており、該スロットの形状は前記放射電極が前記複数の周波数帯で共振するように設定されていることを特徴とする、請求項１〜１３のいずれかに記載のアンテナ装置。
【請求項１５】
前記積層型回路部材の外面に放射電極が形成されており、該放射電極は前記積層型回路と接続されていることを特徴とする、請求項１〜１４のいずれかに記載のアンテナ装置。
【請求項１６】
請求項１〜１５のいずれかに記載のアンテナ装置と、該アンテナ装置の積層型回路に電気的に接続された電気回路を有する通信装置本体部とを含んでなることを特徴とする通信装置。
【請求項１７】
前記通信装置本体部は前記アンテナ装置を収容せる筐体を備えており、前記実装基板は前記筐体に固定されていることを特徴とする、請求項１６に記載の通信装置。
【請求項１８】
前記アンテナ装置の支持部は前記実装基板上においてその一方の端部から隔てられた位置に配置されていることを特徴とする、請求項１６〜１７のいずれかに記載の通信装置。
【発明の詳細な説明】
【０００１】
【発明の属する技術分野】
本発明は、無線通信の技術分野に属するものであり、特に移動体通信及び無線ＬＡＮ（Ｌｏｃａｌ  Ａｒｅａ  Ｎｅｔｗｏｒｋ）などに好適に用いられる周辺回路部内蔵のアンテナ装置及びそれを用いた通信装置に関するものである。
【０００２】
【従来の技術及び発明が解決しようとする課題】
従来、移動体通信などのＭＨｚ帯ないしＧＨｚ帯の無線通信のアンテナとしては、たとえば、特開２０００−４１１６号公報に記載されているような単一のシート状導電部材を用いてアンテナ放射体を構成したものがある。このアンテナは、アンテナ放射体と実装基板との間に接地面スペーサを配置するようになっている。これは、アンテナ放射体の直下にグランドとなる基板が配置されていると、共振エネルギーを蓄積する空間の大きさが減少し、アンテナの受信感度が低下するからである。このように、アンテナ放射体と接地面との間には一定の大きさの空間を保持しなければならない。
【０００３】
アンテナ放射体には、通常、送信回路から送信側フィルタを介して送信信号が入力され、受信信号は受信側フィルタを介して受信回路へと出力される。そして、アンテナ放射体と送信側フィルタ及び受信側フィルタとの間には送受分波器が配置される。この送信側フィルタ、受信側フィルタ及び分波器などを送受信機（通信装置）の本体側に設けると送受信機本体の小型化の制約となるので、これらをアンテナ周辺回路としてアンテナ装置側に含ませることが提案されている。
【０００４】
例えば、特開平８−２８８７３９号公報には、装置を小型化するために、アンテナ放射体の下方に所要の大きさの空間を介して誘電体基板を配置し、該誘電体基板にアンテナ周辺回路を内蔵または装着させることが記載されている。
【０００５】
しかしながら、移動体通信及び無線ＬＡＮに用いられるアンテナ装置には更に一層の小型化が要求されているところ、上記のような放射体の下方に誘電体基板を配置した構造では、該誘電体基板と放射体との間に所定の距離をとることが必要であり、それに加えて更に誘電体基板の厚さが加わることとなるので、アンテナ装置の十分な小型化ができない。また、誘電体基板と放射体との間に所定の距離をとる必要があることから、放射体から周辺回路までの距離の短縮が困難となり、そのため信号ロスの十分な低減が困難であるという問題もある。
【０００６】
そこで、本発明は、一層の小型化が可能で、信号ロスの十分な低減が可能なアンテナ装置を提供することを目的とするものである。また、本発明は、そのようなアンテナ装置を用いた通信装置を提供することをも目的とするものである。
【０００７】
【課題を解決するための手段】
本発明によれば、以上の如き目的を達成するものとして、
平板状をなす放射体と、該放射体の一方の表面側の縁部に取り付けられた少なくとも１つの支持部とを有しており、該支持部のうちの少なくとも１つは積層型回路を備えた積層型回路部材からなっており、前記放射体は前記積層型回路部材の取り付けられた前記縁部に給電端子を備えており、該給電端子は前記積層型回路のアンテナ端子と接続されていることを特徴とするアンテナ装置、
が提供される。
【０００８】
本発明の一態様においては、前記放射体の表面は大略矩形状の外形をなしており、その互いに平行な１対の辺に隣接する２つの前記縁部に前記支持部が配置されている。本発明の一態様においては、前記放射体の表面は大略矩形状の外形をなしており、その４つの辺に隣接する４つの前記縁部に前記支持部が配置されており、これらの支持部は前記大略矩形状の外形の４つの隅に隣接する位置において端部同士が互いに接続されて枠状をなしている。本発明の一態様においては、前記放射体の互いに平行な１対の辺に沿った方向の少なくとも一方端に対応する少なくとも２つの隅部は非凹且つ非鋭角の形状に形成されている。本発明の一態様においては、前記放射体の非凹且つ非鋭角の形状の隅部は、ラウンド形状または斜め１３５度直線形状である。
【０００９】
本発明の一態様においては、前記積層型回路部材は、積層された複数の誘電体シートの互いに隣接するもの同士の間に適宜のパターンの導体膜が配置されており、これら導体膜が前記誘電体シートに形成されたビアコンタクトにより適宜接続されて前記積層型回路が形成されており、前記誘電体シートの少なくとも１つをその厚さ方向に貫通するシールド導電膜が形成されているものである。本発明の一態様においては、前記シールド導電膜は前記積層型回路を構成する複数の回路部分のうちの互いに隣接するもの同士の間に位置している。
【００１０】
本発明の一態様においては、前記積層型回路は積層型分波器と該積層型分波器にそれぞれ接続された２つの積層型誘電体フィルタとを含んでなる。本発明の一態様においては、前記２つの積層型誘電体フィルタのうちの一方は受信側バンドパスフィルタであり、且つ前記２つの積層型誘電体フィルタのうちの他方は送信側バンドパスフィルタである。
【００１１】
本発明の一態様においては、前記積層型回路は少なくとも１つの積層型分波器と該積層型分波器のいずれかに接続された積層型デュプレクサとを含んでなり、前記積層型分波器のうちの少なくとも１つには２つの前記積層型デュプレクサが接続されている。本発明の一態様においては、前記積層型回路は複数段に接続された複数の前記積層型分波器を含んでいる。
【００１２】
本発明の一態様においては、前記放射体はスロットの形成された放射電極を有しており、該スロットの形状は前記放射電極が前記複数の周波数帯で共振するように設定されている。本発明の一態様においては、前記積層型回路部材の外面に放射電極が形成されており、該放射電極は前記積層型回路と接続されている。
【００１３】
また、本発明によれば、以上のようなアンテナ装置と、該アンテナ装置の積層型回路に電気的に接続された電気回路を有する通信装置本体部とを含んでなることを特徴とする通信装置が提供される。
【００１４】
本発明の一態様においては、前記通信装置本体部は実装基板を含んでおり、前記アンテナ装置の支持部は前記実装基板に取り付けられている。本発明の一態様においては、前記通信装置本体部は前記アンテナ装置及び前記実装基板を収容せる筐体を備えており、前記実装基板は前記筐体に固定されている。本発明の一態様においては、前記アンテナ装置の支持部は前記実装基板上においてその一方の端部から隔てられた位置に配置されている。
【００１５】
【発明の実施の形態】
以下、図面を参照しながら、本発明の実施の形態を説明する。
【００１６】
図１は本発明によるアンテナ装置の第１の実施形態を示す模式的分解斜視図（ａ）及び放射体の裏面を示す斜視図（ｂ）であり、図２はその組み立て状態を示す模式的斜視図である。
【００１７】
図１及び図２において、放射体２は２つの支持部４，６により支持されており、該支持部は実装基板８上に取り付けられている。
【００１８】
放射体２は、平板状に形成されており、例えばテフロン（登録商標）またはエポキシ樹脂などの誘電体からなる基体の大略長方形の一方の表面（図では上面）に放射電極２ａが形成されている。放射体２の基体の厚さは、該放射体の所望の強度が得られれば特に制限されないが、例えば０．１〜２．０ｍｍである。放射体２の表面の長方形状の寸法は、例えば２０×１２ｍｍ〜３５×２４ｍｍである。該放射電極２ａにはスロット２ｂが形成されている。放射体表面の長方形状の１対の短辺に隣接して、放射体２の他方の表面（図では下面）側の縁部にそれぞれ接着剤により支持部４，６が取り付けられている。該支持部４，６は、放射体２の表面の長方形状の１対の短辺に沿って延在している。放射体２には、また、支持部４に対応する位置において、２つのビアコンタクトが形成されており、これらビアコンタクト内には放射電極２ａと接続された給電端子２ｃ及びグランド端子２ｄが設けられている。
【００１９】
一方の支持部４は積層型周辺回路を備えた積層型周辺回路部材からなっている。積層型周辺回路のブロック図を放射体２とともに図３に示し、図４には積層型周辺回路部材（支持部４）の模式的断面斜視図を示す。図３に示されているように、積層型周辺回路は、積層型分波器２０と該積層型分波器２０にそれぞれ接続された２つの積層型誘電体フィルタ２１，２２とを含んでなるものである。フィルタ２１は受信側バンドパスフィルタ（ＢＰＦ）であり、フィルタ２２は送信側バンドパスフィルタである。
【００２０】
図４に示されているように、支持部４を構成する周辺回路部材は、複数のセラミックまたは合成樹脂からなる誘電体シートを積層し、隣接誘電体シートの間に所望形状の導体膜パターンまたはグランドパターンｄを形成し、誘電体シートの所望位置に形成したビアコンタクトｃにより隣接層の所望の導体膜パターン同士を適宜接続することで、所望特性のインダクタａやキャパシタｂを形成し、これらを適宜接続することで、分波器２０及びフィルタ２１，２２を形成したものである。
【００２１】
図１及び図４に示されているように、支持部４の一方の端面（図１では上端面：図４では右端面）には、放射体２の給電端子２ｃと対応する位置にアンテナ入力ポート（アンテナ端子）４ａが形成されており、放射体２のグランド端子２ｄと対応する位置にグランドポート４ｂが形成されている。給電端子２ｃとアンテナ入力ポート４ａとは導電性接着剤や半田により接続・固定されており、グランド端子２ｄとグランドポート４ｂとは導電性接着剤や半田により接続・固定されている。これらの導電性接着剤や半田はビアコンタクト内に充填することができる。
【００２２】
また、支持部４の他方の端面（図１では下端面：図４では左端面）には、受信信号出力端子部４ｃ、送信信号入力端子部４ｄ及びグランド端子部４ｅが形成されている。グランド端子部４ｅは複数形成してもよい。これらは、分波器２０及びフィルタ２１，２２のいずれかと適宜接続されている。
【００２３】
以上のように、積層型周辺回路部材（支持部４）には、それを構成する誘電体シートに直交する端面にアンテナ入力ポート４ａ、グランドポート４ｂ、受信信号出力端子部４ｃ、送信信号入力端子部４ｄ及びグランド端子部４ｅが形成されているので、この端面にて積層型周辺回路部材と放射体２との接続及び積層型周辺回路部材と実装基板８との接続を行うことで、周辺回路と放射体２及び実装基板８の電気回路との電気的接続を直接的に行うことができる。また、支持部４の放射体２側とは反対の側の端面に受信信号出力端子部４ｃ、送信信号入力端子部４ｄ及びグランド端子部４ｅを形成することにより、実装基板８に直接アンテナ装置を実装することが可能となる。
【００２４】
図５は分波器２０の等価回路を示し、図６は受信側バンドパスフィルタ２１の等価回路を示し、図７は送信側バンドパスフィルタ２２の等価回路を示す。これらはいずれもインダクタａ（２０ａ，２１ａ，２２ａ）及びキャパシタｂ（２０ｂ，２１ｂ，２２ｂ）を用いて構成されている。但し、インダクタａのそれぞれ及びキャパシタｂのそれぞれの特性は、所望の特性の分波器２０、受信側バンドパスフィルタ２１及び送信側バンドパスフィルタ２２が得られる様に、適宜設定される。
【００２５】
図５に示されているように、分波器２０は、ローパスフィルタＬＰＦ及びハイパスフィルタＨＰＦを有しており、端子２０ｅ，２０ｆ及びアンテナ入力ポート４ａ（ＡＮＴ）を有する。図６に示されているように、受信側バンドパスフィルタ２１は、端子２１ｅ及び受信信号出力端子部４ｃ（Ｒｘ）を有する。また、図７に示されているように、送信側バンドパスフィルタ２２は、端子２２ｅ及び送信信号入力端子部４ｄ（Ｔｘ）を有する。
【００２６】
図１及び図２において、もう一方の支持部６の材質は、特に限定されないが、例えばセラミックまたは合成樹脂などを使用することができる。あるいは、アンテナ放射体２を延長させ且つ折り曲げることで支持部６を形成してもよい。
【００２７】
実装基板８は、通常の配線基板でよく、その表面（図１及び図２では上面）には、所要の配線が形成されており、上記支持部４の受信信号出力端子部４ｃ、送信信号入力端子部４ｄ及びグランド端子部４ｅと対応する位置にこれらとの接続のための端子部８ａ，８ｂ，８ｃが形成されている。支持部４，６は実装基板８に対して例えば接着剤により固定されている。尚、実装基板８には、特に放射体２及び支持部４，６を含んでなるアンテナ装置の取り付けられている位置から離れた位置において、必要に応じて適宜の回路素子を取り付けることもできる。
【００２８】
本実施形態において、支持部４を構成する積層型周辺回路部材は、積層面が放射体２の表面に対して垂直になるようにして配置されている。支持部４，６の高さＨは、放射体２の下方に適切な大きさの空間が確保されるように決められており、例えば２〜１０ｍｍである。また、支持部４を構成する積層型周辺回路部材の厚さＴは、例えば１〜４ｍｍである。
【００２９】
図８は本発明によるアンテナ装置の第２の実施形態の積層型周辺回路のブロック図である。
【００３０】
本実施形態は、支持部４を構成する積層型周辺回路部材に形成されている周辺回路が上記第１の実施形態と異なっている。即ち、上記第１の実施形態は１つの周波数帯を送受信するものであるが、本第２の実施形態は２つの周波数帯を送受信するものである。これら２つの周波数帯は、例えば２ＧＨｚ周辺のＰＣＳ（Ｐｅｒｓｏｎａｌ  Ｃｏｍｍｕｎｉｃａｔｉｏｎ  Ｓｙｓｔｅｍ）周波数及び９００ＭＨｚ周辺のＡＭＰＳ（Ａｄｖａｎｃｅｄ  Ｍｏｂｉｌｅ  Ｐｈｏｎｅ  Ｓｅｒｖｉｃｅ）周波数であり、これにより、アンテナ装置をＰＣＳ／ＡＭＰＳ・デュアルモード移動電話で使用可能なものとすることができる。尚、本実施形態では放射体２のスロット２ｂの形状は、これにより、放射電極２ａが２つの周波数帯で共振するように設計されている。
【００３１】
図８に示されているように、積層型周辺回路は、積層型分波器２０と該積層型分波器２０にそれぞれ接続された第１の周波数帯用のデュプレクサ２４及び第２の周波数帯用のデュプレクサ２３とを含んでなるものである。デュプレクサ２３，２４の等価回路を図９に示す。これらはいずれも上記のようなインダクタ（ａ）及びキャパシタ（ｂ）を用いて構成されている。但し、インダクタのそれぞれ及びキャパシタのそれぞれの特性は、所望の特性のデュプレクサ２３，２４が得られる様に、適宜設定される。
【００３２】
図８において、分波器２０により２つの周波数帯が分波され、第１の周波数帯は分波器端子２０ｅと接続された端子２４ｅを介して一方のデュプレクサ２４に入力され、第２の周波数帯は分波器端子２０ｆと接続された端子２３ｅを介して他方のデュプレクサ２３に入力される。デュプレクサ２３，２４はそれぞれ受信信号出力端子Ｒｘ及び送信信号入力端子Ｔｘを有する。これらの端子Ｒｘ，Ｔｘは実装基板８の電気回路と電気的に接続されている。
【００３３】
図１０は本発明によるアンテナ装置の第３の実施形態の積層型周辺回路のブロック図である。
【００３４】
本実施形態は、支持部４を構成する積層型周辺回路部材に形成されている周辺回路が上記第２の実施形態と異なっている。即ち、上記第２の実施形態は２つの周波数帯を送受信するものであるが、本第３の実施形態は３つの周波数帯を送受信するものである。これら３つの周波数帯は、例えばＧＳＭ（Ｇｌｏｂａｌ  Ｓｙｓｔｅｍ  ｆｏｒ  Ｍｏｂｉｌｅ  ｃｏｍｍｕｎｉｃａｔｏｎ）用の８００ＭＨｚ帯、ＤＣＳ（Ｄｉｇｉｔａｌ  Ｃｏｍｍｕｎｉｃａｔｉｏｎ  Ｓｙｓｔｅｍ）用の１．８ＧＨｚ帯、及び上記ＰＣＳ用の２ＧＨｚ帯である。これにより、３つの周波数帯を扱う多機能で小型の通信機器用アンテナ装置が得られる。尚、本実施形態では放射体２のスロット２ｂの形状は、これにより、放射電極２ａが３つの周波数帯で共振するように設計されている。
【００３５】
図１０に示されているように、積層型周辺回路は、積層型分波器２０と、該積層型分波器２０にそれぞれ接続された第１の周波数帯用のデュプレクサ２７及び分波器２０’と、該積層型分波器２０’にそれぞれ接続された第２の周波数帯用のデュプレクサ２６及び第３の周波数帯用のデュプレクサ２５とを含んでなるものである。分波器２０’の等価回路は分波器２０の等価回路と同様であり、デュプレクサ２５，２６，２７の等価回路はデュプレクサ２３，２４の等価回路と同様である。これらはいずれも上記のようなインダクタ（ａ）及びキャパシタ（ｂ）を用いて構成されている。但し、インダクタのそれぞれ及びキャパシタのそれぞれの特性は、所望の特性の分波器２０，２０’及びデュプレクサ２５，２６，２７が得られる様に、適宜設定される。
【００３６】
図１０において、分波器２０により３つの周波数帯が第１の周波数帯と第２及び第３の周波数帯とに分波され、第１の周波数帯は分波器端子２０ｅを介してデュプレクサ２７に入力され、第２及び第３の周波数帯は分波器端子２０ｆを介して分波器２０’に入力される。また、分波器２０’により第２及び第３の周波数帯が第２の周波数帯と第３の周波数帯とに分波され、第２の周波数帯はデュプレクサ２６に入力され、第３の周波数帯はデュプレクサ２５に入力される。デュプレクサ２５，２６，２７はそれぞれ受信信号出力端子Ｒｘ及び送信信号入力端子Ｔｘを有する。これらの端子Ｒｘ，Ｔｘは実装基板８の電気回路と電気的に接続されている。
【００３７】
以上のように、本実施形態は、２段に接続された分波器２０，２０’を有する。４つ以上の周波数帯を送受信する場合には、分波器の数を増やし、同様にして分波器の多段接続を形成し、所要数のデュプレクサを用いればよい。
【００３８】
以上の実施形態では支持部４，６が放射体２の表面の長方形状の１対の短辺に沿って延在しているが、本発明はこのような形態に限定されることはなく、支持部は放射体表面の長方形状の１対の長辺に沿って延在していてもよいし、放射体表面の形状が正方形状であってもよい。また、複数の周波数帯を送受信する場合には、２つの支持部４，６の双方を積層型回路を備えた積層型回路部材から構成してもよい。この場合、支持部４，６のそれぞれに他方とは異なる単一または複数の周波数帯の送受信のための上記のような積層型回路を形成すればよい。
【００３９】
また、複数の周波数帯を送受信する場合には、周波数帯に応じて放射体２に複数の放射電極を形成しておき、これら複数の放射電極を１つの積層型回路部材に形成した積層型回路と個別に接続してもよい。
【００４０】
更に、本発明においては、放射体表面の外形は矩形状以外の例えば五角形状、六角形状または八角形状などであってもよい。そして、矩形状である場合を含めて、放射体表面の外形の全ての辺に隣接する全ての縁部に支持部を配置してもよい。放射体表面の外形が矩形状である場合の、そのような実施形態を、図１１及び図１２を参照して説明する。これらの図は、それぞれの実施形態のアンテナ装置の模式的底面図を示すものである。
【００４１】
図１１の実施形態では、上記実施形態と同様に放射体２の表面の外形の互いに平行な第１の１対の辺に隣接する２つの縁部に支持部４，６が配置されていることに加えて、放射体２の互いに平行な第２の１対の辺（第１の１対の辺と直交する辺）に隣接する２つの縁部に支持部５，５’が配置されている。そして、これらの支持部４，６，５，５’は放射体表面の大略矩形状の外形の４つの隅に隣接する位置において端部同士が互いに接続されて矩形枠状をなしている。この接続は、接着剤などにより機械的に接合することで行ってもよいし、放射体２に対する取り付けの際に互いに当接せしめることで行ってもよい。このように、支持部を枠状にすることで、アンテナ装置の機械的強度が高められる。また、複数の周波数帯を送受信する場合には、４つの支持部４，６，５，５’のうちの複数を積層型回路を備えた積層型回路部材から構成してもよい。この場合、少なくとも積層型回路部材の数に応じて放射体２に複数の放射電極を形成しておき、これら複数の放射電極を各積層型回路と個別に接続すればよい。積層型回路部材のそれぞれには、他の積層型回路部材とは異なる単一または複数の周波数帯の送受信のための上記のような積層型回路を形成すればよい。
【００４２】
図１２の実施形態では、積層型周辺回路部材でない支持部６をコの字形状に形成することで、放射体２の表面の外形の３つの辺に隣接する縁部を一体的に形成している。同様にして、積層型周辺回路部材でない支持部６をアングル状に形成することで、放射体の表面外形の２つの辺に隣接する縁部を一体的に形成することも可能である。
【００４３】
図１３及び図１４は、本発明によるアンテナ装置の第４及び第５の実施形態を示す図である。これらの実施形態は、積層型回路部材からなる支持部４として上記の第１実施形態とは異なるものが使用されている。
【００４４】
図１３の実施形態では、支持部４の外面である積層型回路部材の積層表面上に放射電極４ｆが形成されている。該放射電極４ｆの給電端子及びグランド端子は、誘電体シートに形成された不図示のビアコンタクトを介して、積層型回路の所定の回路部分と適宜接続されている。この回路部分の出力端子４ｇが、他の端子４ｃ〜４ｅと同様にして、形成されている。尚、この回路部分のグランド端子は端子４ｅと共用される。そして、出力端子４ｇに対応して、実装基板８には端子８ｄが形成されている。
【００４５】
また、図１４の実施形態では、支持部４の外面である積層型回路部材の積層端面上に放射電極４ｆ’が形成されている。該放射電極４ｆ’の給電端子及びグランド端子は、隣接誘電体シート間に形成された不図示の導体膜パターンやグランドパターンを介して、積層型回路の所定の回路部分と適宜接続されている。この回路部分の出力端子４ｇは、図１３の実施形態と同様にして、形成されている。
【００４６】
図１５は、図１３及び図１４の実施形態の積層型周辺回路のブロック図である。本実施形態では、図３の回路と同等な構成に加えて、放射電極４ｆ（４ｆ’の場合も同様）に接続されたＧＰＳ（Ｇｌｏｂａｌ  Ｐｏｓｉｔｉｏｎｉｎｇ  Ｓｙｓｔｅｍ）用の１．５ＧＨｚ帯やＢＴ（Ｂｌｕｅｔｏｏｔｈ）用の２．４５ＧＨｚ帯の帯域通過のためのバンドパスフィルタ２８が設けられている。該バンドパスフィルタ２８の前段に、適宜ローパスフィルタやバンドエリミネーションフィルタやハイパスフィルタなどを配置することができる。
【００４７】
１つの支持部４に、２つの放射電極４ｆ，４ｆ’を形成しておき、これらのうちの一方をＧＰＳ用とし、他方をＢＴ用とすることも可能である。
【００４８】
これら図１３〜図１５の実施形態によれば、ＰＣＳ／ＡＭＰＳ・デュアルモード移動電話にてＧＰＳやＢＴのシステムを利用することが可能となり、その際にアンテナ装置の十分な小型化が可能である。
【００４９】
図１６〜図１８は、本発明によるアンテナ装置の更に別の実施形態を示す図である。この実施形態は、積層型回路部材の構造において、積層された複数の誘電体シートの互いに隣接するもの同士の間に適宜のパターン（殆ど一面に形成されたグランドパターンをも含む）の導体膜が配置されており、これら導体膜が誘電体シートに形成されたビアコンタクトにより適宜接続されて積層型回路が形成されている点においては上記第１実施形態と同様であるが、図１６に示されているように誘電体シートをその厚さ方向に貫通するシールド導電膜（シールド壁）３０，３１が形成されている点において上記第１実施形態と異なる。
【００５０】
図１７はシールド導電膜の説明のための模式的部分断面図であり、図１８はそのＸ−Ｘ’断面図である。シールド導電膜３０は、積層型回路部材の両側の積層表面のそれぞれの近くに配置されているグランドパターン３５（図１６ではｄ）の間において積層方向（誘電体シートの厚さ方向）に延びて帯状に形成されており、その両側に配置されている回路部分同士をシールドする。但し、シールド導電膜３０には、これら回路部分同士を電気的に接続するためのに必要な導体膜パターンが当該シールド導電膜３０と非接触で延在するのを許容している。図１６に示されているシールド導電膜３１は、シールド導電膜３０と異なる場所に形成されているが、シールド導電膜３０と同様な構造を有している。これらのシールド導電膜３０，３１により、第１実施形態に関して説明した分波器と受信側フィルタと送信側フィルタとが互いにシールドされている。
【００５１】
また、図１７及び図１８に示されているように、適宜の数の誘電体シート３４を介して形成した導体膜パターン３６同士を接続する際に帯状のビアコンタクトを用いることでシールド導電膜（シールド壁）３２を形成することも可能である。これによっても、該シールド導電膜３２の両側に位置する回路素子同士のシールドが可能となる。
【００５２】
以上の実施形態では、積層型回路部材に形成される周辺回路として分波器、受信側バンドパスフィルタ、送信側バンドパスフィルタ及びデュプレクサを適宜組み合わせて用いたものが示されているが、本発明では、それらに代えて又はそれらとともに、上記インダクタａやキャパシタｂを適宜組み合わせて形成されるバンドエリミネーションフィルタ、アイソレータなどを用いることも可能である。
【００５３】
図１９は、本発明のアンテナ装置を備えた通信装置の第１の実施形態を示す模式的分解斜視図である。本実施形態の通信装置は携帯電話機（通信用携帯端末）である。
【００５４】
放射体２及び該放射体を支持する支持部４，６を有するアンテナ装置は、実装基板８の一方の表面上に取り付けられている。支持部４は積層型周辺回路部材からなる。本実施形態のアンテナ装置は、上記図１の実施形態のものと放射体２の形状のみ異なる。即ち、本実施形態では、放射体２の互いに平行な１対の辺（即ち支持部４，６が取り付けられた１対の縁部に対応する２つの辺）に沿った方向の一方端に対応する２つの隅部Ｅ１，Ｅ２が非凹且つ非鋭角の形状に形成されている。隅部Ｅ１，Ｅ２の形状は、具体的には円弧形状などのラウンド形状である。ここで、ラウンド形状とは円弧形状の他に、楕円の一部や双曲線などの２次曲線などの一部である外方に凸の曲線形状である。非凹且つ非鋭角の形状としては、ラウンド形状の他に、例えば多角形の一部をなす形状があり、その例としては当該隅部を挟んで位置する２つの放射体辺の双方に対して１３５度の角度をなす直線形状（斜め１３５度直線形状）が例示される。非凹且つ非鋭角の形状は、そのいずれの位置での接線も当該形状の内側を通ることがないような形状である。
【００５５】
このような形状の隅部は、放射体２の幅Ｗの方向に関して、該幅Ｗの数％〜２０％程度とすることができる。具体的寸法としては、例えば幅Ｗの方向に関して２〜３ｍｍ程度とすることができる。放射体に対する支持体の取付位置は、以上のようなラウンド形状の隅部を避けてなされている。即ち、本実施形態では放射体のラウンド形状隅部の側の縁部は、支持部４，６の先端より更に延出している。
【００５６】
以上のような隅部形状とすることで、放射体２の隅部からの放射電極の剥離が生じにくくなり、製造時の歩留が向上し、経時的劣化が抑制され信頼性が向上する。また、隅部が尖鋭でないので、この部分への電界集中が防止され、更に面積が低減されるので、アース電極との間の容量成分が小さくなり、かくしてアンテナ特性とくに周波数特性が向上する。
【００５７】
本実施形態では、実装基板８は携帯電話機のメイン基板である。ここには、アンテナ装置の支持部４の積層型周辺回路と電気的に接続された電気回路が形成されている。該電気回路は、不図示の送話器や受話器や液晶表示パネルや操作ボタンなどと電気的に接続されている。実装基板８は、筐体１０内に収容されている。筐体１０は筐体下側部１０Ａと筐体上側部１０Ｂとからなり、下側部１０Ａまたは上側部１０Ｂに実装基板８が固定されており、下側部１０Ａと上側部１０Ｂとは実装基板８を覆うようにして互いに固定されている。
【００５８】
放射体２の隅部をラウンド形状とすることで、筐体内のスペースの有効利用が可能となり、また筐体１０の隅部にも丸みを持たせることができ、筐体デザイン上の自由度が向上し、小型・軽量化が達成される。
【００５９】
更に、上記のように本発明のアンテナ装置を用いて携帯電話機などの通信装置を構成することで、良好な受信感度を維持しつつ、信号ロスの少ない、薄型且つ小型の通信装置が提供される。
【００６０】
非凹且つ非鋭角の形状に形成される隅部は、２つに限られることはなく、４つ全ての隅部を非凹且つ非鋭角の形状にしてもよい。
【００６１】
図２０は、本発明のアンテナ装置を備えた通信装置の第２の実施形態を示す模式的断面図である。図示されているように、本実施形態では、実装基板８に対して、放射体２及び支持部４を有するアンテナ装置を、実装基板８の端部から距離Ｌだけ隔てて、配置している。このように厚みのとりにくい先端部を避けてアンテナ装置を配置することで、放射体２と実装基板８との間に所要のスペースを確保してアンテナ特性を向上させつつ、装置全体の小型・軽量化を達成することができる。
【００６２】
【発明の効果】
以上説明したように、本発明によれば、アンテナ放射体の下に所要の空間を確保して良好な受信感度を維持しつつ、アンテナ装置の厚さを薄くして小型化することができるとともに、アンテナ放射体に積層型回路を直結させることで配線の引き回しによる信号ロスを十分に低減することができる。
【図面の簡単な説明】
【図１】本発明によるアンテナ装置の第１の実施形態を示す模式的分解斜視図及び放射体の裏面を示す斜視図である。
【図２】図１の組み立て状態を示す模式的斜視図である。
【図３】積層型周辺回路及び放射体のブロック図である。
【図４】積層型周辺回路部材の模式的断面斜視図である。
【図５】分波器の等価回路図である。
【図６】受信側バンドパスフィルタの等価回路図である。
【図７】送信側バンドパスフィルタの等価回路図である。
【図８】本発明によるアンテナ装置の第２の実施形態の積層型周辺回路のブロック図である。
【図９】デュプレクサの等価回路図である。
【図１０】本発明によるアンテナ装置の第３の実施形態の積層型周辺回路のブロック図である。
【図１１】本発明によるアンテナ装置の実施形態を示す模式的底面図である。
【図１２】本発明によるアンテナ装置の実施形態を示す模式的底面図である。
【図１３】本発明によるアンテナ装置の第４の実施形態を示す模式的分解斜視図である。
【図１４】本発明によるアンテナ装置の第５の実施形態の積層型回路部材からなる支持部を示す模式的斜視図である。
【図１５】本発明によるアンテナ装置の第４の実施形態の積層型周辺回路のブロック図である。
【図１６】本発明によるアンテナ装置の実施形態の積層型回路部材からなる支持部を示す模式的分解斜視図である。
【図１７】本発明によるアンテナ装置の実施形態の積層型回路部材からなる支持部を示す模式的断面図である。
【図１８】図１７のＸ−Ｘ’断面図である。
【図１９】本発明のアンテナ装置を備えた通信装置の第１の実施形態を示す模式的分解斜視図である。
【図２０】本発明のアンテナ装置を備えた通信装置の第２の実施形態を示す模式的断面図である。
【符号の説明】
２    放射体
２ａ    放射電極
２ｂ    スロット
２ｃ    給電端子
２ｄ    グランド端子
４    積層型周辺回路部材からなる支持部
４ａ    アンテナ入力ポート
４ｂ    グランドポート
４ｃ    受信信号出力端子部
４ｄ    送信信号入力端子部
４ｅ    グランド端子部
４ｆ，４ｆ’    放射電極
４ｇ    出力端子部
５，５’    支持部
６    支持部
８    実装基板
８ａ，８ｂ，８ｃ，８ｄ    端子部
１０    筐体
１０Ａ    筐体下側部
１０Ｂ    筐体上側部
２０，２０’    積層型分波器
２１    受信側バンドパスフィルタ
２２    送信側バンドパスフィルタ
２３，２４，２５，２６，２７    デュプレクサ
２８    バンドパスフィルタ
３０，３１，３２    シールド導電膜
３４    誘電体シート
３５    グランドパターン
３６    導体膜パターン
ａ    インダクタ
ｂ    キャパシタ
ｃ    ビアコンタクト
ｄ    グランドパターン
【図１】
0003868775.tif 000002
【図２】
0003868775.tif 000003
【図３】
0003868775.tif 000004
【図４】
0003868775.tif 000005
【図５】
0003868775.tif 000006
【図６】
0003868775.tif 000007
【図７】
0003868775.tif 000008
【図８】
0003868775.tif 000009
【図９】
0003868775.tif 000010
【図１０】
0003868775.tif 000011
【図１１】
0003868775.tif 000012
【図１２】
0003868775.tif 000013
【図１３】
0003868775.tif 000014
【図１４】
0003868775.tif 000015
【図１５】
0003868775.tif 000016
【図１６】
0003868775.tif 000017
【図１７】
0003868775.tif 000018
【図１８】
0003868775.tif 000019
【図１９】
0003868775.tif 000020
【図２０】
0003868775.tif 000021